(57)【要約】      （修正有）【課題】ロック及びロック解除構造を有するコネクタを提供する。【解決手段】ハウジング１２と、ラバーコア１４と、端子１６と、を備え、ハウジングは操作部と、複数の接続部と、複数の作用部とで構成されている。操作部は表面の両側から角度湾曲するように複数の押し部が延出されている。これら前記接続部は操作部及びこれら前記作用部に連接されている。これら前記作用部にはこれら前記押し部に対応する複数のロック部が形成されている。ヘッド部がこれら前記ロック部に作用することで、これら前記ロック部を初期状態からこれら前記ロック部が切欠部にロックするまで第一方向に移動するように改変し、且つ第二方向に移動させて初期状態を回復する。また、操作部に外力を付勢することによりこれら前記接続部を変形させ、これら前記押し部を第一方向に移動させてこれら前記ロック部を駆動して第一方向に移動させ、切欠部から脱離させる。【選択図】図１
0003234780.tif 000002
【実用新案登録請求の範囲】
【請求項１】
ヘッド部及び切欠部を有しているフレキシブルケーブル及びプリント回路基板を接続するためのロック及びロック解除構造を有するコネクタであって、
操作部と、複数の接続部と、複数の作用部とを有しているハウジングであって、前記操作部は前記ハウジングの表面に形成され、前記操作部は前記表面の両側から角度湾曲するように複数の押し部が延出され、前記接続部は前記操作部及び前記作用部に連接され、前記作用部は前記ハウジングの両側に設けられ、前記作用部には前記押し部に対応する複数のロック部が形成され、前記ロック部は弾性構成、作用構成、及び係合構成を提供し、前記作用構成は前記弾性構成と前記係合構成との間に設置され、前記作用構成は各前記押し部に対応し、前記係合構成は前記切欠部の設置に対応するハウジングと、
前記ハウジングに結合されているラバーコアであって、前記ラバーコアには前記フレキシブルケーブルを収容するための収容空間が形成され、前記ラバーコアには複数の開口部及び複数の孔部が形成され、前記開口部は前記ロック部を前記収容空間に設けるラバーコアと、
一端が前記収容空間に設置され、他端には前記プリント回路基板を接続するための端子と、を備え、
前記ヘッド部が前記係合構成に作用することで、前記係合構成を初期状態から前記係合構成が前記切欠部にロックするまで第一方向に移動するように改変し、前記係合構成は前記弾性構成により第二方向に移動して前記初期状態を回復し、また、前記操作部に外力を付勢することで前記接続部を変形させ、前記押し部を前記第一方向に移動させて各前記ロック部の前記作用構成を駆動して前記弾性構成を変形させ、前記係合構成も前記第一方向に移動させ、前記係合構成を前記切欠部から脱離させることを特徴とするロック及びロック解除構造を有するコネクタ。
【請求項２】
前記ハウジングには強化構造がさらに形成され、且つ前記強化構造は前記ハウジングの辺縁から折曲するように形成されていることを特徴とする請求項１に記載のロック及びロック解除構造を有するコネクタ。
【請求項３】
前記作用部は第一位置限定部をさらに備え、前記ラバーコアは第二位置限定部をさらに備え、前記第一位置限定部は前記第二位置限定部に対応するように設けられ、前記第一位置限定部には前記第二位置限定部が結合され、前記ハウジングを前記ラバーコアに位置を限定し、また、前記第一位置限定部及び前記第二位置限定部はそれぞれ１つ及び複数であり、前記第一位置限定部はそれぞれ穴部または弾性片であり、前記第二位置限定部は係合ブロックまたは係合溝であり、前記係合溝が前記係合ブロックに係合するか前記穴部が前記弾性片に係合することにより、前記ハウジングを前記ラバーコアに位置を限定していることを特徴とする請求項１に記載のロック及びロック解除構造を有するコネクタ。
【請求項４】
前記作用部は位置合わせユニットをさらに備え、前記ラバーコアは位置合わせ穴をさらに備え、前記位置合わせユニットは前記位置合わせ穴に対応するように設置され、前記位置合わせユニットが前記位置合わせ穴に接合することにより、前記ハウジングが前記ラバーコアに位置を合わせ、前記作用部はストッパーをさらに含み、前記ラバーコアはストッパーブロックをさらに含み、前記ストッパーは前記ストッパーブロックに対応するように設置され、前記ストッパーが前記ストッパーブロックに作用することで、前記ハウジングが前記ラバーコアに固定されることを特徴とする請求項１に記載のロック及びロック解除構造を有するコネクタ。
【請求項５】
ヘッド部及び切欠部を有しているフレキシブルケーブル及びプリント回路基板を接続するためのロック及びロック解除構造を有するコネクタであって、
操作部と、複数の接続部と、複数の作用部とを有しているハウジングであって、前記操作部は前記ハウジングの表面に形成され、前記接続部は前記操作部及び前記作用部に連接され、前記作用部は前記ハウジングの両側に設置され、前記作用部には前記操作部に対応する複数のロック部が形成され、前記ロック部は弾性構成、作用構成、及び係合構成を提供し、前記作用構成は前記弾性構成と前記係合構成との間に設置され、前記作用構成は前記操作部に対応し、前記係合構成は前記切欠部に対応するように設置されているハウジングと、
前記ハウジングに結合されているラバーコアであって、前記ラバーコアには前記フレキシブルケーブルを収容するための収容空間が形成され、前記ラバーコアには複数の開口部及び複数の孔部が形成され、前記開口部は前記ロック部を前記収容空間に設けるラバーコアと、
一端が前記収容空間に設置され、他端には前記プリント回路基板を接続するための端子と、を備え、
前記ヘッド部が前記係合構成に作用することで、前記係合構成を初期状態から前記係合構成が前記切欠部にロックするまで第一方向に移動するように改変し、前記係合構成は前記弾性構成により第二方向に移動して前記初期状態を回復し、また、前記操作部に外力を付勢することで前記接続部を変形させ、前記操作部を前記第一方向に移動させて各前記ロック部の前記作用構成を駆動して前記弾性構成を変形させ、前記係合構成も前記第一方向に移動させ、前記係合構成を前記切欠部から脱離させることを特徴とするロック及びロック解除構造を有するコネクタ。
【考案の詳細な説明】
【技術分野】
【０００１】
本考案は、コネクタの分野に関し、詳しくは、ロック及びロック解除構造を有するコネクタ(Connector with a locking and unlocking structure)に関する。
【背景技術】
【０００２】
従来のロック及びロック解除構造を有するコネクタは、フレキシブルケーブルをロックすると共にユーザーが押圧することでフレキシブルケーブルのロックを解除するための押し部を提供している。
【考案の概要】
【考案が解決しようとする課題】
【０００３】
しかしながら、小型や超小型の応用環境では、空間が限られているため、従来のコネクタを使用することができなかった。そこで、本考案者は上記の欠点が改善可能と考え、鋭意検討を重ねた結果、合理的設計で上記の課題を効果的に改善する本考案のロック及びロック解除構造を有するコネクタの提案に至った。
【０００４】
本考案は前記技術的課題に鑑みて開発されたものであり、即ち、本考案の第一の目的は、フレキシブルケーブル及びプリント回路基板を接続可能なロック及びロック解除構造を有するコネクタを提供する。
【０００５】
本考案の第二の目的は、ロック及びロック解除構造を有するコネクタを提供する。即ち、ラバーコアを結合するために、操作部、複数の接続部、及び複数の作用部を有している一体型のハウジングを提供する。
【０００６】
本考案の第三の目的は、ロック及びロック解除構造を有するコネクタを提供する。即ち、操作部はハウジングの表面の両側から角度湾曲して複数の押し部が延出され、作用部の複数のロック部に対応して連動した制御の目的を達成する。
【０００７】
本考案の第四の目的は、ロック及びロック解除構造を有するコネクタを提供する。即ち、フレキシブルケーブルの切欠部をロックし、操作部を押圧することでフレキシブルケーブルの切欠部から脱離するロック部を提供する。
【０００８】
本考案の第五の目的は、ロック及びロック解除構造を有するコネクタを提供する。即ち、ハウジングに外力が付勢された際に不均衡に力が掛かって変形するという欠陥を回避するためにハウジングが強化構造を提供する。
【０００９】
本考案の第六の目的は、ロック及びロック解除構造を有するコネクタを提供する。即ち、ハウジング及びラバーコアを結合するために、ハウジング及びラバーコアが位置限定部をそれぞれ提供する。
【００１０】
本考案の第七の目的は、ロック及びロック解除構造を有するコネクタを提供する。即ち、ハウジングの位置合わせユニット及びラバーコアの位置合わせ穴により、ハウジングをラバーコアにスムーズに結合する。
【００１１】
本考案の第八の目的は、ロック及びロック解除構造を有するコネクタを提供する。即ち、ハウジングのストッパーとラバーコアのストッパーブロックとの間の相互干渉により、ハウジングをラバーコアに固定する。
【課題を解決するための手段】
【００１２】
上記課題を解決するために、本考案のある態様のロック及びロック解除構造を有するコネクタは、ヘッド部及び切欠部を有しているフレキシブルケーブル及びプリント回路基板を接続可能である。ロック及びロック解除構造を有するコネクタはハウジングと、ラバーコアと、端子と、を備えている。ハウジングは操作部と、複数の接続部と、複数の作用部と、を含む。操作部はハウジングの表面に形成されている。操作部は表面の両側から角度湾曲するように複数の押し部が延出されている。これら前記接続部は操作部及びこれら前記作用部に連接されている。これら前記作用部はハウジングの両側に設けられ、これら前記作用部にはこれら前記押し部に対応する複数のロック部が形成されている。これら前記ロック部は弾性構成、作用構成、及び係合構成を提供している。作用構成は弾性構成と係合構成との間に設置されている。作用構成は各これら前記押し部に対応している。係合構成は切欠部に対応するように設置されている。ラバーコアはハウジングに結合されている。ラバーコアにはフレキシブルケーブルを収容するための収容空間が形成されている。ラバーコアには複数の開口部及び複数の孔部が形成されている。これら前記開口部はこれら前記ロック部を収容空間に設けている。端子の一端は収容空間に設置され、端子の他端はプリント回路基板を接続可能である。ヘッド部が係合構成に作用することで、係合構成が初期状態から係合構が切欠部にロックするまで第一方向に移動するように改変される。係合構成は弾性構成により第二方向に移動して初期状態を回復する。また、操作部に外力を付勢することでこれら前記接続部を変形させ、これら前記押し部を第一方向に移動させて各これら前記ロック部の作用構成を駆動させて弾性構成を変形させ、係合構成も第一方向に移動させ、係合構成を切欠部から脱離させる。
【００１３】
また、上述した課題を解決し、目的を達成するために、本考案の別の態様は、ロック及びロック解除構造を有するコネクタである。このロック及びロック解除構造を有するコネクタは、ヘッド部及び切欠部を有しているフレキシブルケーブル及びプリント回路基板を接続するために用いられている。ロック及びロック解除構造を有するコネクタはハウジングと、ラバーコアと、端子と、を備えている。ハウジングは操作部と、複数の接続部と、複数の作用部と、を含む。操作部はハウジングの表面に形成されている。これら前記接続部は前記操作部及びこれら前記作用部に連接されている。これら前記作用部はハウジングの両側に設置されている。これら前記作用部には操作部に対応する複数のロック部が形成されている。これら前記ロック部は弾性構成、作用構成、及び係合構成を提供する。作用構成は弾性構成と係合構成との間に設置され、作用構成は操作部に対応し、係合構成は切欠部に対応するように設置されている。ラバーコアはハウジングに結合されている。ラバーコアにはフレキシブルケーブルを収容可能な収容空間が形成されている。ラバーコアには複数の開口部及び複数の孔部が形成されている。これら前記開口部はこれら前記ロック部を収容空間に設ける。端子の一端は収容空間に設置され、端子の他端はプリント回路基板に接続可能である。ヘッド部が係合構成に作用することにより、係合構成を初期状態から係合構成が切欠部にロックするまで第一方向に移動するように改変する。係合構成は弾性構成により第二方向に移動して初期状態を回復する。また、操作部に外力を付勢することでこれら前記接続部を変形させ、前記操作部を第一方向に移動させて各これら前記ロック部の前記作用構成を駆動させて弾性構成を変形させ、係合構成も第一方向に移動させ、係合構成を切欠部から脱離させる。
【考案の効果】
【００１４】
従来のコネクタと比較すると、本考案に係るロック及びロック解除構造を有するコネクタは、ハウジングには一体型の操作部、複数の接続部、及び複数の作用部が形成され、ラバーコアを結合することでフレキシブルケーブルの自動ロック及び手動ロック解除機能を実現している。
【００１５】
本明細書及び図面の記載により、少なくとも、以下の事項が明らかとなる。
【図面の簡単な説明】
【００１６】
【図１】本考案の第１実施例に係るロック及びロック解除構造を有するコネクタを示す外観斜視図である。
【図２（ａ）】図１に示すハウジングを示す正面図である。
【図２（ｂ）】図１に示すハウジングを示す上面図である。
【図２（ｃ）】図１に示すハウジングを示す背面図である。
【図３（ａ）】図２（ａ）乃至図２（ｃ）に示す操作部と接続部と作用部を示す第一外観斜視図である。図中、ＳＦは表面、θは角度、Ｆは外力、ＦＤは第一方向、ＳＤは第二方向を示す。
【図３（ｂ）】図２（ａ）乃至図２（ｃ）に示す操作部と接続部と作用部を示す第二外観斜視図である。
【図４】本考案のハウジングとフレキシブルケーブルの組み合わせを示す概略構成図である。
【図５（ａ）】図１に示すラバーコアを示す正面図である。図中、ＳＰは収容空間を表す。
【図５（ｂ）】図１に示すラバーコアを示す上面図である。
【図５（ｃ）】図１に示すラバーコアを示す背面図である。
【図６】図１に示すハウジングとラバーコアの組み合わせを示す概略構成図である。
【図７】本考案の第２実施例に係るロック及びロック解除構造を有するコネクタを示す外観斜視図である。
【図８（ａ）】図７に示す操作部と接続部と作用部を示す第一外観斜視図である。
【図８（ｂ）】図７に示す操作部と接続部と作用部を示す第二外観斜視図である。
【図９】図８（ａ）と図８（ｂ）に示すハウジングとフレキシブルケーブルの接続を示す概略構成図である。
【考案を実施するための形態】
【００１７】
以下に図面を参照して、本考案を実施するための形態について、詳細に説明する。なお、本考案は、以下に説明する実施形態に限定されるものではない。
【００１８】
本明細書において、「１」または「１つ」という用語を使用して本文の単位、部材、及び組立部材を説明している。これは説明を分かりやすくするためにすぎず、本考案の範疇について一般的な意義を提供している。よって、他の意味が明示されていない限り、このような描写は１つ及び少なくとも１つという意味を含み、且つ単数と同時に複数も含むと理解すべきである。
【００１９】
なお、本明細書において、「備える」、「含む」、「有している」、「含有している」、或いは他の類似するあらゆる用語は非排他的に包括する物品を含む。一例を挙げると、複数の要素を含む部材、構造、製品、または装置が本文に列挙された要素に限られず、明確に列挙されていないが前記部材、構造、製品、または装置が通常固有の他の要素であるものも含まれる。このほか、明確に反対の説明がなされていない限り、「或いは」という用語は包括的な「或いは」という意義を指し、排他的な「或いは」ではない。
【００２０】
＜第１実施例＞
図１は本考案の第１実施例に係るロック及びロック解除構造を有するコネクタを示す外観斜視図である。図１において、ロック及びロック解除構造を有するコネクタ１０はヘッド部２２及び切欠部２４を有しているフレキシブルケーブル２及びプリント回路基板４を接続可能である（図４を併せて参照）。
【００２１】
図１を参照すれば、ロック及びロック解除構造を有するコネクタ１０はハウジング１２と、ラバーコア１４と、端子１６と、を備えている。
【００２２】
以下、図２（ａ）乃至図２（ｃ）及び図３（ａ）乃至図３（ｂ）は図１に示すハウジングを示す詳細な構成図である。図２（ａ）は図１に示すハウジングを示す正面図である。図２（ｂ）は図１に示すハウジングを示す上面図である。図２（ｃ）は図１に示すハウジングを示す背面図である。図３（ａ）は図２（ａ）乃至図２（ｃ）に示す操作部と接続部と作用部を示す第一外観斜視図である。図３（ｂ）は図２（ａ）乃至図２（ｃ）に示す操作部と接続部と作用部を示す第二外観斜視図である。
【００２３】
ハウジング１２は操作部１２２と、接続部１２４と、作用部１２６と、を備えている。一例を挙げると、ハウジング１２は折曲されることで形成されている。換言すれば、操作部１２２、接続部１２４、及び作用部１２６は同じハウジング１２により形成されている。本実施例では、操作部１２２の数量が１つであり、接続部１２４及び作用部１２６の数量がそれぞれ２つである例について説明する。接続部１２４及び作用部１２６は操作部１２２の両端にそれぞれ設けられている。
【００２４】
操作部１２２はハウジング１２の表面ＳＦに形成されている。操作部１２２は表面ＳＦの両側から角度θ湾曲するように押し部１２２２が延出され、例えば、角度θは90度である。他の実施例では、表面ＳＦには押しブロック１２２４がさらに形成されている。また、ハウジング１２の表面ＳＦは強化構造１２２６をさらに提供し、例えば、強化構造１２２６はハウジング１２の辺縁から折曲されることで形成されている。
【００２５】
接続部１２４は操作部１２２及び作用部１２６に連接されている。接続部１２４は操作部１２２を作用部１２６に懸装する。
【００２６】
作用部１２６はハウジング１２の両側に設置されている。作用部１２６には押し部１２２２に対応するロック部１２６２が形成されている。ロック部１２６２は弾性構成１２６２２、作用構成１２６２４、及び係合構成１２６２６を提供する。ここでは、弾性構成１２６２２は湾曲状であり、作用構成１２６２４は係合構成１２６２６と共に他の角度のバンプ状として設けられている平面状を提供している。作用構成１２６２４及び押し部１２２２は接触または非接触態様を呈している。
【００２７】
作用構成１２６２４は弾性構成１２６２２と係合構成１２６２６との間に設置されている。作用構成１２６２４は押し部１２２２に対応している。係合構成１２６２６は切欠部２４に対応するように設置されている。
【００２８】
図４は本考案のハウジングとフレキシブルケーブルの組み合わせを示す概略構成図である。図４において、ヘッド部２２が係合構成１２６２６に作用すると、係合構成１２６２６が初期状態から係合構成１２６２６が切欠部２４にロックするまで第一方向ＦＤに移動するように改変される。係合構成１２６２６は弾性構成１２６２２により第二方向ＳＤに移動して初期状態を回復する。また、操作部１２２に外力Ｆを付勢することにより接続部１２４を変形させ、押し部１２２２を第一方向ＦＤに移動させてロック部１２６２の作用構成１２６２４を駆動させて弾性構成１２６２２を変形させ、係合構成１２６２６も第一方向ＦＤに移動させ、係合構成１２６２６を切欠部２４から脱離させる。
【００２９】
続いて、図３（ａ）と図３（ｂ）に戻って、作用部１２６はハウジング１２の両側に形成されていると共にハウジング１２をプリント回路基板４に固定するための固定部１２６２８をさらに備えている。
【００３０】
また、作用部１２６には第一位置限定部１２６３０及び１２６３２がさらに形成されている。本実施例では、第一位置限定部１２６３０及び１２６３２は図３（ｂ）を併せて参照する。第一位置限定部１２６３０はハウジング１２または作用部１２６の背面に形成され、第一位置限定部１２６３２はハウジング１２または作用部１２６の側面に形成されている。ここでは、第一位置限定部１２６３０が穴部であり、第一位置限定部１２６３２が弾性片である例について説明する。
【００３１】
また、作用部１２６は位置合わせユニット１２６４０をさらに備え、ここでは、位置合わせユニット１２６４０が挿入部である例について説明する。位置合わせユニット１２６４０はハウジング１２の前縁に形成されている。
【００３２】
また、作用部１２６はストッパー１２６４２をさらに備えている。ここでは、ストッパー１２６４２は表面ＳＦの同じ一側に形成されている。
【００３３】
図５（ａ）乃至図５（ｃ）は図１に示すラバーコアを示す詳細な構成図である。図５（ａ）は図１に示すラバーコアを示す正面図である。図５（ｂ）は図１に示すラバーコアを示す上面図である。図５（ｃ）は図１に示すラバーコアを示す背面図である。
【００３４】
ラバーコア１４はハウジング１２に結合されている。ラバーコア１４にはフレキシブルケーブル２を収容するための収容空間ＳＰが形成されている。ラバーコア１４には開口部１４２及び孔部１４４が形成されている。開口部１４２はロック部１２６２を収容空間ＳＰに設けている。
【００３５】
また、ラバーコア１４は第二位置限定部１４６及び１４８をさらに備えている。本実施例では、第二位置限定部１４６はラバーコア１４の背面に形成され、第二位置限定部１４８はラバーコア１４の側面に形成されている。ここでは、第二位置限定部１４６が係合ブロックであり、第二位置限定部１４８が係合溝である例について説明する。第二位置限定部１４６及び１４８は第一位置限定部１２６３０及び１２６３２にそれぞれ対応するように設けられている。第二位置限定部１４６及び１４８には第一位置限定部１２６３０及び１２６３２が結合され、ハウジング１２をラバーコア１４に位置を限定している。
【００３６】
また、ラバーコア１４は位置合わせ穴１４１０をさらに備えている。位置合わせ穴１４１０は位置合わせユニット１２６４０に対応するように設けられ、位置合わせユニット１２６４０を位置合わせ穴１４１０に接合することにより、ハウジング１２をラバーコア１４に位置を合わせ、ハウジング１２をラバーコア１４に精確に結合している。
【００３７】
また、ラバーコア１４はストッパーブロック１４１２をさらに備えている。ストッパーブロック１４１２はストッパー１２６４２に対応するように設置され、ストッパーブロック１４１２がストッパー１２６４２に作用することで、ハウジング１２をラバーコア１４に固定している。
【００３８】
図１に戻って、端子１６の一端は収容空間ＳＰに設置され、端子１６の他端はプリント回路基板４を接続可能である。端子１６は孔部１４４に挿設されている。
【００３９】
前述の第一位置限定部１２６３０及び１２６３２、第二位置限定部１４６及び１４８、位置合わせユニット１２６４０、位置合わせ穴１４１０、ストッパー１２６４２、及びストッパーブロック１４１２の組み合わせ方式は図６を併せて参照する。図６は図１に示すハウジングとラバーコアの組み合わせを示す概略構成図である。
【００４０】
＜第２実施例＞
図７は本考案の第２実施例に係るロック及びロック解除構造を有するコネクタを示す外観斜視図である。図７において、ロック及びロック解除構造を有するコネクタ１０’は同様に、例えば、図９のヘッド部２２及び切欠部２４を有しているフレキシブルケーブル２及びプリント回路基板４を接続可能である。コネクタ１０’は第１実施例のハウジング１２と、ラバーコア１４と、端子１６と、を備えているほか、その差異は、ハウジング１２’及びラバーコア１４’が異なる構造を有している点である。
【００４１】
図８（ａ）と図８（ｂ）は図１に示すハウジングの第２実施例を示す概略構成図である。図８（ａ）は図７に示す操作部と接続部と作用部を示す第一外観斜視図である。図８（ｂ）は図７に示す操作部と接続部と作用部を示す第二外観斜視図である。ロック及びロック解除構造を有するコネクタ１０’の操作部１２２’は、ロック及びロック解除構造を有するコネクタ１０の操作部１２２が表面ＳＦの両側から角度θ湾曲するように押し部１２２２が延出されているのとは異なり、操作部１２２’には押し部１２２２がない。ここでは、操作部１２２’は平坦な表面であり、且つロック及びロック解除構造を有するコネクタ１０’の作用部１２６’に対応するように延伸されている。第１実施例のロック部１２６２が弾性構成１２６２２、作用構成１２６２４、及び係合構成１２６２６を提供するのとは異なり、本実施例では、操作部１２２’には押し部１２２２がない。よって、ロック部１２６２’ が提供する弾性構成１２６２２’、作用構成１２６２４’、及び係合構成１２６２６’の構造は、特に作用構成１２６２４’の部分は、操作部１２２’の表面ＳＦの対応する表面ＳＦ’に直接近接する。 なお、図９は図８（ａ）と図８（ｂ）に示すハウジングとフレキシブルケーブルの接続を示す概略構成図である。
【００４２】
以上、本考案の実施形態について図面を参照して詳述したが、具体的な構成はこの実施形態に限られるものではなく、本考案の要旨を逸脱しない範囲の設計変更等も含まれる。
【符号の説明】
【００４３】
２        フレキシブルケーブル
２２      ヘッド部
２４      切欠部
４        プリント回路基板
１０      ロック及びロック解除構造を有するコネクタ
１０’    ロック及びロック解除構造を有するコネクタ
１２      ハウジング
１２’    ハウジング
１２２    操作部
１２２’    操作部
１２２２    押し部
１２２４    押しブロック
１２２６    強化構造
１２４      接続部
１２６      作用部
１２６’    作用部
１２６２  ロック部
１２６２’  ロック部
１２６２２  弾性構成
１２６２２’  弾性構成
１２６２４  作用構成
１２６２４’  作用構成
１２６２６  係合構成
１２６２６’  係合構成
１２６２８  固定部
１２６３０  第一位置限定部
１２６３２  第一位置限定部
１２６４０  位置合わせユニット
１２６４２  ストッパー
１４  ラバーコア
１４’  ラバーコア
１４２  開口部
１４４  孔部
１４６  第二位置限定部
１４８  第二位置限定部
１４１０  位置合わせ穴
１４１２  ストッパーブロック
１６  端子
【図１】
0003234780.tif 000003
【図２（ａ）】
0003234780.tif 000004
【図２（ｂ）】
0003234780.tif 000005
【図２（ｃ）】
0003234780.tif 000006
【図３（ａ）】
0003234780.tif 000007
【図３（ｂ）】
0003234780.tif 000008
【図４】
0003234780.tif 000009
【図５（ａ）】
0003234780.tif 000010
【図５（ｂ）】
0003234780.tif 000011
【図５（ｃ）】
0003234780.tif 000012
【図６】
0003234780.tif 000013
【図７】
0003234780.tif 000014
【図８（ａ）】
0003234780.tif 000015
【図８（ｂ）】
0003234780.tif 000016
【図９】
0003234780.tif 000017